(57)【特許請求の範囲】
【請求項１】
ネットワークと、前記ネットワークに接続された予約管理手段と、前記ネットワークに接続された予約受付手段と、前記ネットワークに接続された予約申込手段とからなる取引予約システムであって、
前記予約申込手段は、契約締結の予約を行う権利を表す予約権情報と、前記予約の申込を行う申込者を特定する情報と、前記予約に係る契約の対象である商品を選択する指示とを入力し、前記ネットワークを介して前記予約受付手段に前記予約権情報、前記申込者を特定する情報及び前記指示により選択された商品を示す商品情報を出力する手段を備え、
前記予約受付手段は、
前記予約申込手段より前記予約権情報、前記申込者を特定する情報及び前記商品情報を入力し、入力した当該予約権情報を前記予約管理手段に出力する手段と、
入力した当該予約権情報が有効であることを示す承諾許可情報を前記予約管理手段より入力したとき、契約の予約条件を表す予約内容情報を生成し、当該予約内容情報を前記予約申込手段及び前記予約管理手段に出力する手段と、を備え、
前記予約受付手段は、前記予約申込手段より入力した商品情報が示す商品、及び、前記予約申込手段より入力した、前記申込者を特定する情報が示す申込者を表す情報を暗号化することにより前記予約内容情報を生成するものであり、
前記予約管理手段は、
予め生成された前記予約権情報を記憶し、当該予約権情報が表す権利が過去に行使されたことを示す情報を記憶するための記憶領域を備えており、前記予約受付手段より前記予約権情報を入力し、当該入力された予約権情報を自己が記憶し、且つ、当該入力された予約権情報が表す権利が過去に行使されたことを示す情報を自己が記憶していない、という条件が満たされているか否かを判別し、当該条件が満たされていると判別したときに、前記承諾許可情報を前記予約受付手段に出力する手段と、
前記予約内容情報を前記予約受付手段より入力したとき、当該予約内容情報と、前記条件が満たされていると判別された予約権情報とを、決済のための決済用装置に出力する手段と、を備える、
ことを特徴とする取引予約システム。
【請求項２】
前記決済用装置より構成される予約照合手段を更に備え、
当該予約照合手段は、
前記予約管理手段が出力した予約内容情報及び予約権情報を入力し、互いに対応付けて記憶する手段と、
外部より前記予約内容情報を入力して、当該予約内容情報に対応付けられた予約権情報を自己が記憶しているか否かを判別し、記憶していると判別したとき、前記予約履行が許される旨を表す情報を外部に出力する手段と、を備える、
ことを特徴とする請求項１に記載の取引予約システム。
【請求項３】
前記予約照合手段は更に、前記予約権情報を自己が記憶していると判別したとき、前記予約権情報を消去する手段を備える、
ことを特徴とする請求項２に記載の取引予約システム。
【請求項４】
前記予約管理手段は更に、前記予約受付手段より入力された予約権情報を自己が記憶し、且つ、当該入力された予約権情報が表す権利が過去に行使されたことを示す情報を自己が記憶していない、という前記条件が満たされていると判別したとき、当該権利が過去に行使されたことを示す情報を前記記憶領域に記憶する手段を備える、
ことを特徴とする請求項１、２又は３に記載の取引予約システム。
【請求項５】
前記予約照合手段は更に、前記予約権情報を自己が記憶していると判別したとき、前記予約管理手段に、当該予約権情報を出力する手段を備え、
前記予約管理手段は、自己が記憶する予約権情報のうち、前記予約照合手段より入力した予約権情報に合致するものを消去する手段を備える、
ことを特徴とする請求項２又は３に記載の取引予約システム。
【請求項６】
ネットワークと、前記ネットワークに接続された予約管理手段と、前記ネットワークに接続された予約申込手段とからなる取引予約システムであって、
前記予約申込手段は、契約締結の予約を行う権利を表す予約権情報と、前記予約の申込を行う申込者を特定する情報と、前記予約に係る契約の対象である商品を選択する指示とを入力し、前記ネットワークを介して前記予約受付手段に前記予約権情報、前記申込者を特定する情報及び前記指示により選択された商品を示す商品情報を出力する手段を備え、
前記予約管理手段は、
予め生成された前記予約権情報を記憶し、当該予約権情報が表す権利が過去に行使されたことを示す情報を記憶するための記憶領域を備えており、外部の予約受付装置より前記予約権情報を入力し、当該入力された予約権情報を自己が記憶し、且つ、当該入力された予約権情報が表す権利が過去に行使されたことを示す情報を自己が記憶していない、という条件が満たされているか否かを判別し、当該条件が満たされていると判別したときに、入力した当該予約権情報が有効であることを示す承諾許可情報を前記予約受付装置に出力する手段と、
契約の予約条件を表す予約内容情報を前記予約受付装置より入力したとき、当該予約内容情報と、前記条件が満たされていると判別された予約権情報とを、決済のため外部に出力する手段と、を備える、
ことを特徴とする取引予約システムに、前記ネットワークを介して接続されたコンピュータを、
前記予約申込手段より前記予約権情報、前記申込者を特定する情報及び前記商品情報を入力し、入力した当該予約権情報を前記予約管理手段に出力する手段と、
前記承諾許可情報を前記予約管理手段より入力したとき、契約の予約条件を表す前記予約内容情報を生成し、当該予約内容情報を前記予約申込手段及び前記予約管理手段に出力する手段と、を備え、
前記予約申込手段より入力した商品情報が示す商品、及び、前記予約申込手段より入力した、前記申込者を特定する情報が示す申込者を表す情報を暗号化することにより前記予約内容情報を生成するものである、
ことを特徴とする前記予約受付装置として機能させるためのプログラムを記録することを特徴とする記録媒体。
【請求項７】
予約管理手段と、予約受付手段とより構成される取引予約システムであって、
前記予約受付手段は、
外部の装置より、契約締結の予約を行う権利を表す予約権情報、当該予約の申込者を特定する情報、及び当該予約に係る契約の対象である商品を表す商品情報を外部のネットワークを介して取得し、当該予約権情報を外部のネットワークを介して前記予約管理手段に供給する手段と、
前記予約管理手段より、前記外部の装置から取得した当該予約権情報が有効であることを示す承諾許可情報を取得し、当該承諾許可情報に応答して、前記契約の予約条件を表す予約内容情報を生成し、当該予約内容情報を前記外部の装置及び前記予約管理手段に出力する手段と、を備え、
前記予約受付手段は、前記外部の装置より取得した商品情報が示す商品、及び、前記外部の装置より取得した、前記予約の申込者を特定する情報が示す申込者を表す情報を暗号化することにより前記予約内容情報を生成するものであり、
前記予約管理手段は、
予め生成された前記予約権情報を記憶し、当該予約権情報が表す権利が過去に行使されたことを示す情報を記憶するための記憶領域を備えており、前記予約受付手段より前記予約権情報を入力し、当該入力された予約権情報を自己が記憶し、且つ、当該入力された予約権情報が表す権利が過去に行使されたことを示す情報を自己が記憶していない、という条件が満たされているか否かを判別する手段と、
当該条件が満たされていると判別したときに、外部のネットワークを介して前記予約受付手段に承諾許可情報を供給する手段と、
前記予約内容情報を前記予約受付手段より入力したとき、当該予約内容情報と、前記条件が満たされていると判別された予約権情報とを、決済のための決済用装置に出力する手段と、を備える、
ことを特徴とする取引予約システム。
【請求項８】
前記決済用装置より構成される予約照合手段を更に備え、
当該予約照合手段は、
前記予約管理手段が出力した予約内容情報及び予約権情報を入力し、互いに対応付けて記憶する手段と、
前記予約照合手段は、外部より予約内容情報を取得して、当該予約内容情報に対応付けられた予約権情報を自己が記憶しているか否かを判別し、記憶していると判別したとき、前記予約の履行が許される旨を表す情報を外部に出力する手段と、を備える、
ことを特徴とする請求項７に記載の取引予約システム。
【請求項９】
前記予約照合手段は更に、予約権情報を自己が記憶していると判別したとき、当該予約権情報を消去する手段を備える、
ことを特徴とする請求項８に記載の取引予約システム。
【請求項１０】
前記予約管理手段は更に、前記予約受付手段より入力された予約権情報を自己が記憶し、且つ、当該入力された予約権情報が表す権利が過去に行使されたことを示す情報を自己が記憶していない、という前記条件が満たされていると判別したとき、当該権利が過去に行使されたことを示す情報を前記記憶領域に記憶する手段を備える、
ことを特徴とする請求項７、８又は９に記載の取引予約システム。
【請求項１１】
前記予約照合手段は、予約権情報を自己が記憶していると判別したとき、前記予約管理手段に、当該予約権情報を出力する手段を更に備え、
前記予約管理手段は、前記予約照合手段が出力した予約権情報を取得し、自己が記憶する予約権情報のうち、前記予約照合手段より入力した予約権情報に合致するものを消去する手段を備える、
ことを特徴とする請求項８又は９に記載の取引予約システム。
【発明の詳細な説明】
【０００１】
【発明の属する技術分野】
この発明は、取引システムに関し、特に取引の予約を取り扱う取引予約システムに関する。
【０００２】
【従来の技術】
従来、取引の予約を行うときは、例えば、予約券等の券片を発行し、券片と引き替えに、本来の契約内容の履行が行われるという手法が行われていた。
また、他の手法としては、クレジットカード等を用いた信用取引の手法が行われていた。これは、クレジットカードの番号を、例えば金融機関の特定の口座に対応付け、契約の締結から所定の期間後に、その口座から代金を引き落とすものである。
【０００３】
【発明が解決しようとする課題】
しかし、上述の、券片を発行する手法は、コンピュータネットワーク上での契約には用いることができない。
その上、この手法では、物理的に管理する必要がある券片では紛失の危険性が高いにも拘わらず、当該券片が紛失され、契約の存在を証明する証拠が他にない場合は、契約の履行が事実上期待できなくなり、契約が履行されない危険性が高くなる。
また、券片が不正に取得された場合は、商品の不正取得も容易に行われ得るし、券片が盗取等された場合は、盗取した者等が容易に商品の不正な給付を受け得る。
【０００４】
また、クレジットカード等を用いた信用取引による場合は、代金債務者の匿名性を保ち難いため、匿名性が求められる取引には用い難い。
すなわち、クレジットカードの番号は、上述の通り、金融機関の特定の口座等に対応付けられており、該口座自体を匿名の口座としない限り、代金債務者は容易に特定される。
【０００５】
上述の問題を回避する方法としては、例えば、暗証番号に所定の残高を表す点数を対応付けて、該暗証番号を記録したプリペイドカードを流通させ、契約の際に、各暗証番号の点数を管理するホストコンピュータ等に該暗証番号が送信され、そのとき該商品の対価等に相当する分の点数が減らされるようにする、という手法を考えることができる。
【０００６】
プリペイドカードの取引は、典型的には売買の形で行われ、該取引の当事者の匿名性を保つことが容易であるので、このような手法によれば、暗証番号が電子的象徴として送信される際に、匿名性が維持されるようにすることが容易である。
【０００７】
しかし、この手法によった場合、その暗証番号が該取引の当事者以外に知られれば容易に盗用され得る。このため、代金債務者の財産の安全が図り難いという問題がある。
【０００８】
この発明は上記実状に鑑みてなされたもので、代金等を支払うべき者を特定する情報を知った第三者等が商品等の給付を不正に受けることが防止され、また、代金等を支払うべき者の匿名性が保たれる取引予約システム、及び、そのような取引予約システムを実現するためのプログラムを記録した記録媒体を提供することを目的とする。
【０００９】
【課題を解決するための手段】
上記目的を達成するため、この発明の第１の観点にかかる取引予約システムは、
ネットワークと、前記ネットワークに接続された予約管理手段と、前記ネットワークに接続された予約受付手段と、前記ネットワークに接続された予約申込手段とからなる取引予約システムであって、
前記予約申込手段は、契約締結の予約を行う権利を表す予約権情報と、前記予約の申込を行う申込者を特定する情報と、前記予約に係る契約の対象である商品を選択する指示とを入力し、前記ネットワークを介して前記予約受付手段に前記予約権情報、前記申込者を特定する情報及び前記指示により選択された商品を示す商品情報を出力する手段を備え、
前記予約受付手段は、
前記予約申込手段より前記予約権情報、前記申込者を特定する情報及び前記商品情報を入力し、入力した当該予約権情報を前記予約管理手段に出力する手段と、
入力した当該予約権情報が有効であることを示す承諾許可情報を前記予約管理手段より入力したとき、契約の予約条件を表す予約内容情報を生成し、当該予約内容情報を前記予約申込手段及び前記予約管理手段に出力する手段と、を備え、
前記予約受付手段は、前記予約申込手段より入力した商品情報が示す商品、及び、前記予約申込手段より入力した、前記申込者を特定する情報が示す申込者を表す情報を暗号化することにより前記予約内容情報を生成するものであり、
前記予約管理手段は、
予め生成された前記予約権情報を記憶し、当該予約権情報が表す権利が過去に行使されたことを示す情報を記憶するための記憶領域を備えており、前記予約受付手段より前記予約権情報を入力し、当該入力された予約権情報を自己が記憶し、且つ、当該入力された予約権情報が表す権利が過去に行使されたことを示す情報を自己が記憶していない、という条件が満たされているか否かを判別し、当該条件が満たされていると判別したときに、前記承諾許可情報を前記予約受付手段に出力する手段と、
前記予約内容情報を前記予約受付手段より入力したとき、当該予約内容情報と、前記条件が満たされていると判別された予約権情報とを、決済のための決済用装置に出力する手段と、を備える、
ことを特徴とする。
【００１０】
このような取引予約システムによれば、前記予約権情報と前記申込者を特定する情報とは、前記予約内容情報が生成されるまで相互に対応付けられない。このため、前記予約の申込を行う者の匿名性が保たれる。
また、前記承諾許可情報が、予約権情報が有効であり従って前記申込者が前記予約を行うことが許されることを示すものであれば、前記予約内容情報が、前記申込者と対応付けられる。このため、前記予約内容情報を提示した者が何者であるかに拘わらず、商品等の給付は前記申込者に行われる。このため、前記第三者等が商品等の給付を不正に受けることが防止される。
なお、本発明において、商品とは、役務（サービス）を含めた概念である。
【００１１】
前記取引予約システムは、
前記決済用装置より構成される予約照合手段を更に備え、
当該予約照合手段は、
前記予約管理手段が出力した予約内容情報及び予約権情報を入力し、互いに対応付けて記憶する手段と、
外部より前記予約内容情報を入力して、当該予約内容情報に対応付けられた予約権情報を自己が記憶しているか否かを判別し、記憶していると判別したとき、前記予約履行が許される旨を表す情報を外部に出力する手段と、を備えるものとすれば、前記取引予約システムにより、予約の履行の可否が確認され、虚偽の前記予約内容情報の使用が防止される。
【００１２】
前記予約照合手段は更に、前記予約権情報を自己が記憶していると判別したとき、前記予約権情報を消去する手段を備えるものであってもよい。これにより、前記予約の履行が重複して行われることが防止される。
【００１３】
前記予約管理手段は更に、前記予約受付手段より入力された予約権情報を自己が記憶し、且つ、当該入力された予約権情報が表す権利が過去に行使されたことを示す情報を自己が記憶していない、という前記条件が満たされていると判別したとき、当該権利が過去に行使されたことを示す情報を前記記憶領域に記憶する手段を備える、ものであってもよいし、また、
前記予約照合手段は更に、前記予約権情報を自己が記憶していると判別したとき、前記予約管理手段に、当該予約権情報を出力する手段を備え、
前記予約管理手段は、自己が記憶する予約権情報のうち、前記予約照合手段より入力した予約権情報に合致するものを消去する手段を備えるものであってもよい。
これにより、前記予約を行う権利（予約権）の行使が重複して行われることが防止される。
【００１５】
また、この発明の第２の観点にかかる記録媒体は、
ネットワークと、前記ネットワークに接続された予約管理手段と、前記ネットワークに接続された予約申込手段とからなる取引予約システムであって、
前記予約申込手段は、契約締結の予約を行う権利を表す予約権情報と、前記予約の申込を行う申込者を特定する情報と、前記予約に係る契約の対象である商品を選択する指示とを入力し、前記ネットワークを介して前記予約受付手段に前記予約権情報、前記申込者を特定する情報及び前記指示により選択された商品を示す商品情報を出力する手段を備え、
前記予約管理手段は、
予め生成された前記予約権情報を記憶し、当該予約権情報が表す権利が過去に行使されたことを示す情報を記憶するための記憶領域を備えており、外部の予約受付装置より前記予約権情報を入力し、当該入力された予約権情報を自己が記憶し、且つ、当該入力された予約権情報が表す権利が過去に行使されたことを示す情報を自己が記憶していない、という条件が満たされているか否かを判別し、当該条件が満たされていると判別したときに、入力した当該予約権情報が有効であることを示す承諾許可情報を前記予約受付装置に出力する手段と、
契約の予約条件を表す予約内容情報を前記予約受付装置より入力したとき、当該予約内容情報と、前記条件が満たされていると判別された予約権情報とを、決済のため外部に出力する手段と、を備える、
ことを特徴とする取引予約システムに、前記ネットワークを介して接続されたコンピュータを、
前記予約申込手段より前記予約権情報、前記申込者を特定する情報及び前記商品情報を入力し、入力した当該予約権情報を前記予約管理手段に出力する手段と、
前記承諾許可情報を前記予約管理手段より入力したとき、契約の予約条件を表す前記予約内容情報を生成し、当該予約内容情報を前記予約申込手段及び前記予約管理手段に出力する手段と、を備え、
前記予約申込手段より入力した商品情報が示す商品、及び、前記予約申込手段より入力した、前記申込者を特定する情報が示す申込者を表す情報を暗号化することにより前記予約内容情報を生成するものである、
ことを特徴とする前記予約受付装置として機能させるためのプログラムを記録することを特徴とする。
【００１６】
この発明の第２の観点にかかる記録媒体に記録された前記プログラムが前記コンピュータにより実行されれば、前記取引予約システムにおいて、前記予約権情報と前記申込者を特定する情報とは、前記予約内容情報が生成されるまで相互に対応付けられない。このため、前記予約の申込を行う者の匿名性が保たれる。
また、前記承諾許可情報が、予約権情報が有効であり従って前記申込者が前記予約を行うことが許されることを示すものであれば、前記予約内容情報が、前記申込者と対応付けられる。このため、前記予約内容情報を提示した者が何者であるかに拘わらず、商品等の給付は前記申込者に行われる。このため、前記第三者等が商品等の給付を不正に受けることが防止される。
また、この発明の第３の観点にかかる取引予約システムは、
予約管理手段と、予約受付手段とより構成される取引予約システムであって、
前記予約受付手段は、
外部の装置より、契約締結の予約を行う権利を表す予約権情報、当該予約の申込者を特定する情報、及び当該予約に係る契約の対象である商品を表す商品情報を外部のネットワークを介して取得し、当該予約権情報を外部のネットワークを介して前記予約管理手段に供給する手段と、
前記予約管理手段より、前記外部の装置から取得した当該予約権情報が有効であることを示す承諾許可情報を取得し、当該承諾許可情報に応答して、前記契約の予約条件を表す予約内容情報を生成し、当該予約内容情報を前記外部の装置及び前記予約管理手段に出力する手段と、を備え、
前記予約受付手段は、前記外部の装置より取得した商品情報が示す商品、及び、前記外部の装置より取得した、前記予約の申込者を特定する情報が示す申込者を表す情報を暗号化することにより前記予約内容情報を生成するものであり、
前記予約管理手段は、
予め生成された前記予約権情報を記憶し、当該予約権情報が表す権利が過去に行使されたことを示す情報を記憶するための記憶領域を備えており、前記予約受付手段より前記予約権情報を入力し、当該入力された予約権情報を自己が記憶し、且つ、当該入力された予約権情報が表す権利が過去に行使されたことを示す情報を自己が記憶していない、という条件が満たされているか否かを判別する手段と、
当該条件が満たされていると判別したときに、外部のネットワークを介して前記予約受付手段に承諾許可情報を供給する手段と、
前記予約内容情報を前記予約受付手段より入力したとき、当該予約内容情報と、前記条件が満たされていると判別された予約権情報とを、決済のための決済用装置に出力する手段と、を備える、
ことを特徴とする。
前記取引予約システムは、前記決済用装置より構成される予約照合手段を更に備えてもよく、当該予約照合手段は、前記予約管理手段が出力した予約内容情報及び予約権情報を入力し、互いに対応付けて記憶する予約照合手段と、外部より予約内容情報を取得して、当該予約内容情報に対応付けられた予約権情報を自己が記憶しているか否かを判別し、記憶していると判別したとき、前記予約の履行が許される旨を表す情報を外部に出力する手段と、を備えるものであってもよい。
前記予約照合手段は更に、予約権情報を自己が記憶していると判別したとき、当該予約権情報を消去する手段を備えるものであってもよい。
前記予約管理手段は更に、前記予約受付手段より入力された予約権情報を自己が記憶し、且つ、当該入力された予約権情報が表す権利が過去に行使されたことを示す情報を自己が記憶していない、という前記条件が満たされていると判別したとき、当該権利が過去に行使されたことを示す情報を前記記憶領域に記憶する手段を備えるものであってもよい。
あるいは、前記予約照合手段は、予約権情報を自己が記憶していると判別したとき、前記予約管理手段に、当該予約権情報を出力する手段を更に備えるものであってもよく、この場合、前記予約管理手段は、前記予約照合手段が出力した予約権情報を取得し、自己が記憶する予約権情報のうち、前記予約照合手段より入力した予約権情報に合致するものを消去する手段を備えるものであってもよい。
【００１７】
【発明の実施の形態】
以下、この発明の実施の形態にかかる取引予約システムを説明する。
図１は、この発明の実施の形態にかかる取引予約システムの構成の一例を示す。
図示するように、この取引予約システムは、予約管理サイト１と、予約受付サイト２と、予約申込サイト３と、決済サイト４と、ネットワーク５とより構成される。
【００１８】
ネットワーク５は、例えばインターネット等からなり、予約管理サイト１、予約受付サイト２及び予約申込サイト３相互間の接続を媒介する。
【００１９】
予約管理サイト１は、コンピュータ１１と、外部記憶装置１２と、ネットワークアクセス装置１３とより構成される。予約管理サイト１には、ネットワーク５が予約管理サイト１を特定するための固有のアドレスが付されている。ネットワーク５がインターネットである場合、該アドレスは、例えば、ＵＲＬ（ユニフォームリソースロケータ）である。
コンピュータ１１は、ターミナルアダプタ等からなるネットワークアクセス装置１３を介してネットワーク５に接続されている。そして、ネットワーク５を経由して接続した予約申込サイト３より後述の識別符号７１を入力し、後述する予約管理プログラム６２と、予約内容照会プログラム６５ｂを実行する。
外部記憶装置１２は、ハードディスク装置等からなり、コンピュータ１１の制御に従って、データの記憶、消去及び記憶内容の出力を行う。
【００２０】
予約受付サイト２は、ネットワーク５に接続されており、コンピュータ２１と、外部記憶装置２２と、ネットワークアクセス装置２３とより構成される。予約受付サイト２には固有のアドレスが付されている。
コンピュータ２１は、ターミナルアダプタ等からなるネットワークアクセス装置２３を介してネットワーク５に接続されている。そして、ネットワーク５を経由して接続した予約申込サイト３より識別符号７１を入力し、後述する予約受付プログラム６３を実行する。
外部記憶装置２２は、ハードディスク装置等からなり、コンピュータ２１の制御に従って、データの記憶、消去及び記憶内容の出力を行う。
【００２１】
予約申込サイト３は、制御部３１と、外部記憶装置３２と、ネットワークアクセス装置３３と、表示装置３４と、入力装置３５とより構成される。予約申込サイト３には固有のアドレスが付されており、更に該アドレスは特定の操作者に固有のものとして与えられている。
【００２２】
制御部３１は、中央処理装置（ＣＰＵ）等からなり、モデム等からなるネットワークアクセス装置３３を介してネットワーク５に接続されており、後述する予約申込プログラム６４、ネットワーク接続プログラム６１ａ〜６１ｃを実行する。
外部記憶装置３２は、ハードディスク装置等からなり、制御部３１の制御に従って、データの記憶、消去及び記憶内容の出力を行う。
入力装置３５は、キーボード、マウス等からなる。入力装置３５は、操作者が入力を行うために用いられ、入力された情報を表す信号を制御部３１に出力する。
【００２３】
決済サイト４は、ＰＯＳ（Point-Of-Sale）システム等からなり、モデム等のネットワークアクセス装置と、キーボード等からなる入力部とを備え、ネットワークアクセス装置を介してネットワーク５に接続されている。
決済サイト４は、後述する予約内容リスト７４を記憶し、ネットワークアクセス装置を介して外部より予約内容コード７３を入力する。そして、ネットワークアクセス装置を介して入力した予約内容コード７３を、予約内容リスト７４に追加する。
また、決済サイト４は、商品の受取人等が入力部を用いて予約内容コード７３を入力し、予約の履行を要求したときなどに、後述する予約内容照会プログラム６４を実行する。
【００２４】
この取引予約システムは、論理的には、図２に示すように、ネットワーク接続プログラム６１ａ〜６１ｃと、予約管理プログラム６２と、予約受付プログラム６３と、予約申込プログラム６４と、予約内容照会プログラム６５ａ、６５ｂと、識別符号７１と、識別符号リスト７２と、予約内容コード７３と、予約内容リスト７４とより構成される。
【００２５】
ネットワーク接続プログラム６１ａ〜６１ｃは、予約管理サイト１、予約受付サイト２及び予約申込サイト３の外部記憶装置１２、２２、３２に格納されており、コンピュータ１１、２１及び制御部３１により読み出され、実行される。
ネットワーク接続プログラム６１ａ〜６１ｃは、ネットワークアクセス装置１３、１３、３３を制御して、コンピュータ１１、２１及び制御部３１を、ネットワーク５を介して互いに接続させる。
【００２６】
予約管理プログラム６２は、予約管理サイト１の外部記憶装置１２に格納されており、コンピュータ１１により読み出され、実行される。
予約管理プログラム６２は、予約受付サイト２の制御部２１よりコンピュータ１に入力される識別符号７１に基づいて、その識別符号７１が有効であるか否かを判別し、予約申込サイト３に判別の結果を通知する。
【００２７】
予約受付プログラム６３は、予約受付サイト２の外部記憶装置２２に格納されており、コンピュータ２１により読み出され、実行される。
予約受付プログラム６２は、予約申込サイト３の制御部３１よりコンピュータ１１に入力される識別符号７１に基づいて、予約内容コード７３を発生するか否かを判別する。
そして、予約内容コード７３の発生を決定したときは予約内容コード７３を発生し、ネットワーク５、予約管理サイト１を介して決済サイト４に送る。
【００２８】
予約申込プログラム６４は、予約申込サイト３の外部記憶装置３２に格納されており、制御部３１により読み出されて実行される。
予約申込プログラム６４は、商品の供給を受ける契約の予約を予約受付サイト２に要求し、識別符号７１を送る。そして、該予約の要求の結果を示す情報を、予約受付サイト２より取得して、外部記憶装置３２に記憶させる。
【００２９】
予約内容照会プログラム６５ａは、決済サイト４により実行され、予約内容照会プログラム６５ｂは、コンピュータ１１により実行される。
予約内容照会プログラム６５ａは、予約内容リスト７４に格納された予約内容コード７３と、入力された予約内容コード７３とを照合し、両者が一致するか否かを表す情報を外部に出力する。該情報を外部に出力する手法は任意であり、例えば、該情報を示す画像を表示してもよい。
予約内容照会プログラム６５ｂは、識別符号７１が、予約内容照会プログラム６５ａの制御の下にある決済サイト４からコンピュータ１１に送られると、その識別符号７１を含むレコードを、識別符号リスト７２から消去する。
【００３０】
なお、ネットワーク接続プログラム６１ａ〜６１ｃ、予約管理プログラム６２、予約受付プログラム６３及び予約申込プログラム６４、予約内容照会プログラム６５ａ、６５ｂは、後述する処理に係わらず、外部から実行終了の指示があったとき、該指示に従い、実行を終了する。
【００３１】
識別符号７１は、予約受付サイト２に、商品の供給を受ける契約の締結を請求する権利、すなわち予約権の証拠として機能する符号であり、予約管理サイト１の運営主体等によって、予め生成される。そして、例えば、書籍、雑誌等に印刷される等の形態で記録され、上述の予約権と一体のものとして譲渡等される。
そして、予約権が行使された結果として締結された契約が履行されると、後述する処理により識別符号７１は消滅する。
【００３２】
識別符号リスト７２は、過去に発行された識別符号７１のうち、消滅していないもののリストであり、また、各識別符号７１が過去に予約権の行使のために使用されたか否かを表す。識別符号リスト７２は、予約管理サイト１の外部記憶装置１２に記憶される。
識別符号リスト７２は複数のレコードからなり、各レコードには、識別符号７１が格納される。また、過去に予約権の行使のために用いられた識別符号７１を含むレコードには、その識別符号７１が行使されたことを示す情報が含まれる。
【００３３】
予約内容コード７３は、予約管理サイト１により許可され、予約受付サイト２と予約申込サイト３との間で締結された予約の内容を表す符号であり、予約受付プログラム６３により発生される。
予約内容コード７３は、予約権を行使した者、商品を供給する者、供給されるべき商品及びその他予約の内容に関する情報（予約条件）が所定の手法を用いて結合及び暗号化されたものを含むものであり、また、予約内容コード７３自体も、互いに異なる符号である。
【００３４】
なお、予約条件の項目や内容は任意であり、例えば、予約権を行使した者、商品を供給する者、供給されるべき商品の他、予約を特定する整理記号、予約対象の商品の数量、予約の履行期限、決済の手法、商品の引渡地、商品の受取人（予約の申込をした当事者に限られない）、その他の特約等を含んでいてもよい。
【００３５】
また、予約権を行使した者、商品を供給する者及び商品の受取人等が、後述する処理において識別符号７１を送信した予約申込サイト３のアドレスによって特定できる場合は、これらの者を示す情報として、識別符号７１を送信した予約申込サイト３のアドレスを含んでいてもよい。
【００３６】
予約内容リスト７４は、現在有効に締結されているすべての予約の内容の情報を含むリストであり、決済サイト４に記憶され、予約の有効性の判別に用いられる。
予約内容リスト７４は、複数のレコードからなり、各レコードには、識別符号７１と、予約内容コード７３とが格納されている。
【００３７】
次に、この取引予約システムの動作を、図３〜図６を参照して説明する。
図３は、予約管理プログラム６２の前半の処理を示すフローチャートである。
図４は、予約受付プログラム６３の処理及び予約管理プログラム６２の後半の処理を示すフローチャートである。
図５は、予約申込プログラム６４の処理を示すフローチャートである。
図６（ａ）は、予約内容照会プログラム６５ａの処理を示すフローチャートである。
図６（ｂ）は、予約内容照会プログラム６５ｂの処理を示すフローチャートである。
【００３８】
（予約締結の処理）
以下では、予約締結の処理、すなわち、予約申込サイト３が予約を申し込み、予約受付サイト２がこの申込を承諾して、予約を締結する処理を説明する。
【００３９】
予約管理サイト１において、コンピュータ１１が起動されると、ネットワーク接続プログラム６１ａを起動して、自らをネットワーク５に接続する。そして、コンピュータ１１は、図３に示す予約管理プログラム６２を起動する。
予約管理プログラム６２が起動されると、コンピュータ１１は、他のサイトとの接続が確立されたか否かを判別する（Ｓ１０１）。
確立されていないと判別されると、コンピュータ１１はステップＳ１０１の処理を繰り返し、確立されたと判別されると、後述のステップＳ１０２以下に処理を移す。
【００４０】
一方、予約受付サイト２において、コンピュータ２１が起動されると、コンピュータ２１は、ネットワーク接続プログラム６１ｂを起動して、自らをネットワーク５に接続する。次いで、コンピュータ２１は、図４に示す予約受付プログラム６３を起動する。
予約受付プログラム６３が起動されると、コンピュータ２１は、他のサイトとの接続が確立されたか否かを判別する（Ｓ２０１）。
確立されていないと判別されると、コンピュータ２１はステップＳ２０１の処理を繰り返し、確立されたと判別されると、後述のステップＳ２０２以下に処理を移す。
【００４１】
また、予約申込サイト３において、制御部３１が外部よりネットワーク接続の指示を受けると、制御部３１はネットワーク接続プログラム６１ｃを起動して自らをネットワーク５に接続し、次いで、予約申込プログラム６４を起動する。そして制御部３１は、図５に示す処理を開始する。
【００４２】
制御部３１が図５に示す処理を開始すると、制御部３１は、操作者が入力装置３５を用いて、操作者の名及び所定のパスワードを入力するのを待機する（Ｓ３０１）。そして、操作者の名及びパスワードが入力されると、入力された名の操作者が予約申込サイト３の操作を許されており、且つ、入力されたパスワードが、その操作者に対応付けられているものであるか否かを判別する（Ｓ３０２）。
【００４３】
判別の結果、入力された名の操作者が操作者が予約申込サイト３の操作を許されていないか、又は、入力されたパスワードが、その操作者に対応付けられていないと判別された場合、制御部３１は、処理をＳ３０１に戻す。
入力された名の操作者が予約申込サイト３の操作を許されており、且つ、入力されたパスワードが、その操作者に対応付けられている場合、制御部３１は、ネットワーク接続プログラム６１ｃの処理に従い、予約受付サイト２のコンピュータ２１に接続要求を発する（Ｓ３０３）。
【００４４】
一方、接続要求を受け取ったコンピュータ２１は、ステップＳ２０２において、相手方との接続を確立し、接続を確認する信号を相手方に送る。
そして、コンピュータ２１は、予約受付サイト２において予約可能な商品を説明する画像と、識別符号７１の送信を促す画像を、制御部３１に送る（Ｓ２０３）。
【００４５】
制御部３１は、接続要求を発した後、接続を確認する信号を受け取ると、予約管理サイト１から送られる情報の受信を開始する。そして、商品を説明する画像の情報と、識別符号７１の送信を要求する画像の情報とを受け取ると、これらの情報が表す画像を表示装置３４に表示させる（Ｓ３０４）。
【００４６】
画像が表示されると、制御部３１は、入力装置３５を用いた識別符号７１の入力を受け付け、入力が完了したか否かを判別する（Ｓ３０５）。
完了していないと判別されると、ステップＳ３０５の処理を繰り返す。完了したと判別されると、制御部３１は、入力された識別符号７１を、コンピュータ２１に送る（Ｓ３０６）。
【００４７】
コンピュータ２１は、識別符号７１を受信すると、予約する商品の選択を促す画像を、制御部３１に送る（Ｓ２０４）。
制御部３１は、予約管理サイト１から送られる情報を受信し、商品の選択を促す画像の情報を受け取ると、これらの情報が表す画像を表示装置３４に表示させる（Ｓ３０７）。
【００４８】
画像が表示されると、制御部３１は、商品を選択する指示が入力装置３５を用いて入力されるのを受け付け、入力が完了したか否かを判別する（Ｓ３０８）。
完了していないと判別されると、ステップＳ３０８の処理を繰り返す。完了したと判別されると、制御部３１は、選択された予約対象の商品を表す情報を生成し、コンピュータ２１に送る（Ｓ３０９）。
コンピュータ２１は、識別符号７１及び予約対象の商品の情報を受け取ると、識別符号７１及び予約対象の商品の情報を外部記憶装置２２に記憶する（Ｓ２０５）。
【００４９】
次に、コンピュータ２１は、ネットワーク接続プログラム６１ｂの処理に従い、予約管理サイト１のコンピュータ１１に接続要求を発する（Ｓ２０６）。
接続要求を受け取ったコンピュータ１１は、ステップＳ１０２において、コンピュータ２１との接続を確立し、接続を確認する信号をコンピュータ２１に送る。そして、コンピュータ２１に、識別符号７１及び識別符号７１を送信した予約申込サイト３のアドレスの入力を要求する（Ｓ１０３）。
【００５０】
コンピュータ２１は、接続要求を発した後、接続を確認する信号と、識別符号７１及び識別符号７１を送信した予約申込サイト３のアドレスの入力を要求する信号とを受け取ると、識別符号７１及び識別符号７１を送信した予約申込サイト３のアドレスをコンピュータ１１に送る（Ｓ２０７）。
識別符号７１及び識別符号７１を送信した予約申込サイト３のアドレスを入力したコンピュータ１１は、入力した識別符号７１をキーとして識別符号リスト７２を検索し、識別符号７１が有効であるか否かを判別する（Ｓ１０４）。すなわち、その識別符号７１と同一の符号を含むレコードが識別符号リスト７２に存在し、且つその識別符号７１が過去に行使されたか否かを判別する。
【００５１】
そして、該当するレコードがあり、且つ過去に該識別符号７１が行使されていないと判別されると、コンピュータ１１は、そのレコードに、該識別符号７１が行使されたことを示す情報を格納する。そして、コンピュータ２１に、識別符号７１が有効であることを示す通知と、コンピュータ２１との接続を終了する通知とを送り、ステップＳ１０７へ処理を移す（Ｓ１０５）。
該当するレコードがないと判別されると、コンピュータ１１は、コンピュータ２１に、識別符号７１が無効であることを示す通知と、コンピュータ２１との接続を終了する通知とを送り（Ｓ１０６）、接続を終了する（Ｓ１０７）。
【００５２】
コンピュータ２１は、ステップＳ１０４の判別結果を示す通知をコンピュータ１１より受信すると、その通知より、識別符号７１が有効であるか否かを判別する（Ｓ２０８）。
ステップＳ２０８において、識別符号７１が有効であると判別されたとき、コンピュータ２１は、処理をステップＳ２１０に移す。無効であると判別されたときは、識別符号７１が無効な符号であることを示す通知を制御部３１に送り、処理をステップＳ２０３に戻す（Ｓ２０９）。
【００５３】
ステップＳ２１０において、コンピュータ２１は、申し込まれた予約についての予約条件を上述の所定の手法により決定する。そして、決定した予約条件を表す予約内容コード７３を生成して予約申込サイト３の制御部３１に送り、また、予約管理サイト１に接続して当該予約内容コード７３をコンピュータ１１に送る（ステップＳ２１１）。
【００５４】
なお、上述の通り、予約権を行使した者、商品を供給する者及び商品の受取人等が、後述する処理において識別符号７１を送信した予約申込サイト３のアドレスによって特定できる場合は、これらの者を示す情報として、識別符号７１を送信した予約申込サイト３のアドレスを含んでいてもよい。
また、コンピュータ２１は、予約条件を決定するため、更に予約申込サイト３より情報を入力してもよい。
【００５５】
制御部３１は、コンピュータ２１より情報を受け取ると、その情報が、ステップＳ２０９で送られた、識別符号７１の無効の通知であるか否かを判別する（Ｓ３１０）。
無効の通知であると判別されると、制御部３１は処理をＳ３０４に戻す。無効の通知でないと判別すると、制御部３１はコンピュータ２１より予約内容コード７３を受け取る。そして、この予約内容コード７３を復号化し、予約条件の内容を表す画像を表示装置３４に表示させる（Ｓ３１１）。次いで、制御部３１は、予約を確認する入力が入力装置３５を用いてなされるのを受け付け、入力が完了したか否かを判別する（Ｓ３１２）。
完了していないと判別されると、ステップＳ３１２の処理を繰り返す。完了したと判別されると、制御部３１は、予約の確認を表す信号をコンピュータ２１に送る（Ｓ３１３）。
【００５６】
コンピュータ２１は、予約の確認を表す信号を受信すると、制御部３１に、予約の完了を示す通知と、接続を終了する通知とを送り、制御部３１との接続を終了する（Ｓ２１２）。
予約の完了を示す通知を入力した制御部３１は、予約申込プログラム６４の処理を終了する。
【００５７】
一方、予約管理サイト１のコンピュータ１１は、ネットワーク接続プログラム６１ｂの処理に従い、決済サイト４に接続要求を発する（Ｓ２１３）。接続要求を受け取った決済サイト４は、コンピュータ１１との接続を確立し、接続を確認する信号をコンピュータ１１に送る。
【００５８】
コンピュータ１１は、接続要求を発した後、接続を確認する信号を受け取ると、ステップＳ３０５で予約申込サイト３に入力された識別符号７１と、ステップＳ２１０で生成された予約内容コード７３とを決済サイト４に送り（Ｓ２１４）、決済サイト４との接続を終了して（Ｓ２１５）、予約管理プログラム６２を終了する。
決済サイト４は、入力した識別符号７１及び予約内容コード７３を、予約内容リスト７４の同一のレコードに格納する。
【００５９】
その後、例えば、商品の受取人等が予約を履行させる等の目的で、外部より入力部を用いて決済サイト４に予約内容コード７３を入力すると、決済サイト４は、図６（ａ）に示す予約内容照会プログラム６５ａを起動する。
【００６０】
そして、予約内容照会プログラム６５ａの処理を開始すると、まず、予約内容リスト７４に格納された各予約内容コード７３と、入力された予約内容コード７３とを照合し、一致するものがあるか否かを判別する（Ｓ４０１）。
【００６１】
一致するものがない（すなわち、予約の履行が認められない）と判別されたとき、決済サイト４は、予約の履行が認められないことを表す情報を外部に出力して（例えば、該情報を表示する）（Ｓ４０２）、予約内容照会プログラム６５ａの処理を終了する。
【００６２】
一致するものがある（すなわち、予約の履行が認められる）と判別されたときは、予約の履行が認められることを表す情報を外部に出力し（Ｓ４０３）、予約管理サイト１に接続する。
そして、予約内容リスト７４のうち、入力部を用いて入力された予約内容コード７３と一致する予約内容コードを含むレコードに格納されている識別符号７１を特定し（Ｓ４０４）、予約管理サイト１に接続して、コンピュータ１１に該識別符号７１を送る（Ｓ４０５）。そして、ステップＳ４０４で識別符号７１が特定されたレコードの記録内容を消去し（Ｓ４０６）、予約内容照会プログラム６５ａを終了する。
【００６３】
識別符号７１を入力した予約管理サイト１のコンピュータ１１は、図６（ｂ）に示す予約内容照会プログラム６５ｂの処理を開始する。
処理が始まると、コンピュータ１１は、識別符号リスト７２のうち、入力した識別符号７１を格納するレコードを消去する（Ｓ５０１）。これにより、該識別符号７１は消滅する。
【００６４】
該レコードが消去されると、コンピュータ１１は、決済サイト４との接続を終了し（Ｓ５０２）、予約内容照会プログラム６５ｂの処理を終了する。
決済サイト４は、予約管理サイト１との接続が終了すると、予約内容照会プログラム６５ａの処理を終了する。
【００６５】
そして、決済サイト４の操作者等は、商品の受取人等として予約内容コード７３から特定される者に商品を給付する等して、契約を履行する。
決済サイト４において商品の供給を直接行うことができる場合、予約内容照会プログラム６５ａは、単に該商品の供給の予約を受け付けるだけでなく、該商品の供給を行う処理を含んでもよい。
例えば、供給する商品がシェアウェアであるとき、決済サイト４は、予約内容照会プログラム６５ａの処理に従って、該シェアウェアを、予約内容コード７３の内容から特定される受取人に対応付けられた予約申込サイト３にダウンロードしてもよい。
【００６６】
なお、予約管理サイト１と予約受付サイト２とは共通のコンピュータ及び外部記憶装置から構成されてもよい。
また、予約管理プログラム６２と予約受付プログラム６３とは別個のプログラムである必要はなく、識別符号７１及び商品の選択の情報がコンピュータ２１又は１１に入力された後、引き続いて識別符号７１が有効であるか否かの判別が行われてもよい。
【００６７】
また、予約申込サイト３は、特定の操作者に対応付けられている必要はなく、例えば、予約申込サイト３がネットワーク５にアクセスする際、ネットワークが、パスワード入力等の任意の手法によって予約申込サイト３の操作者を特定するようにしてもよい。
この場合、上述の予約申込サイト３のアドレスに代えて、ネットワーク５上における操作者のアドレスを用いるようにしてもよい。例えば、ネットワーク５がインターネットである場合は、該操作者のアドレスとして、インターネット上における該操作者のアドレスを用いてもよい。
【００６８】
また、予約管理プログラム６２、予約受付プログラム６３、予約申込プログラム６４、予約内容照会プログラム６５ａ及び６５ｂにより実行される処理は、図３〜図６に示したものに限られない。
【００６９】
例えば、予約管理プログラム６２の処理に従ってコンピュータ１１が制御部３１に送る情報、及び、予約受付プログラム６３の処理に従ってコンピュータ２１が制御部３１に送る情報は、いずれも、ハイパーテキスト形式の情報を含んでいてもよい。
予約申込サイト３に送られる情報がハイパーテキスト形式の情報を含むとき、予約申込プログラム６４と、予約内証照会プログラム６５ａ及び６５ｂとは、ハイパーテキスト閲覧用ソフトウェア（ブラウザ）であってもよい。
【００７０】
この場合、予約管理サイト１及び予約受付サイト２のコンピュータは、予約申込サイト３における入力を要求するとき、その旨を示すハイパーテキスト形式の情報を予約申込サイト３に送る。
【００７１】
ハイパーテキスト形式の情報を入力したとき、制御部３１は、例えば、ブラウザの処理に従って、コンピュータ１１、２１より入力したハイパーテキスト形式の画像を表示し、カーソル及びマウスポインタの移動と、カーソル位置への文字列の入力と、マウスのクリックによる信号入力を受け付ける。
そして、入力された文字列と、該文字列入力時のカーソルの画像上での位置と、マウスがクリックされた時のマウスポインタの画像上での位置と、表示装置３４が現在表示している画像のスクロール状態を表す情報とを、表示装置３４に現在表示されているハイパーテキストの情報の送信元に随時送る。
【００７２】
予約管理サイト１及び予約受付サイト２のコンピュータ１１及び２１は、ブラウザの上述の処理に従って制御部３１より出力される各情報を解析することにより、識別符号７１、商品の選択の情報及びその他の情報を取得する。
そして、予約管理サイト１のコンピュータ１１は、識別符号７１が有効であるか否かの判別及び判別結果の予約受付サイト２への通知、商品購入の予約の受け付け、予約内容コード７３の生成及び予約受付サイト２への出力の処理を行う。
【００７３】
予約管理サイト１及び予約受付サイト２のコンピュータ１１及び２１が送るハイパーテキストには、他の予約管理サイト１及び予約受付サイト２へのリンクが設定してあってもよい。
そして、該リンクが設定されているときは、該リンクの設定箇所にマウスポインタが移動されマウスがクリックされることにより、予約申込サイト３と、リンクされている予約管理サイト１又は予約受付サイト２との接続がなされ、予約が開始されるようにしてもよい。
【００７４】
また、予約受付サイト２及び予約申込サイト３の数は、それぞれ１個ずつである必要はなく、任意である。
例えば、ネットワーク５がインターネットであり、ネットワーク５に接続されているコンピュータがウェブサーバの機能を有しているときは、該コンピュータの制御の下に複数のホームページを設け、各ホームページにより予約受付サイト２を構成してもよい。
【００７５】
また、識別符号７１を入力する予約申込サイト３と、該入力の結果、予約管理プログラム６２により発生された予約内容コード７３を受け取る予約申込サイト３は、同一のものである必要はなく、また、予約申込プログラム６４を実行しない予約申込サイト３が存在してもよい。予約申込プログラム６４を実行しない予約申込サイト３は、アノニマスなノードであってもよい。
【００７６】
また、識別符号７１を流通させる媒体はスクラッチペーパーである必要はなく、例えば、識別符号７１は、出版物等に印刷されていてもよい。また、識別符号７１は、フロッピディスク、ＣＤ−ＲＯＭその他の不揮発性記録媒体に記録されて頒布されてもよい。そして、予約申込サイト３は更に、フロッピディスクドライブ、ＣＤ−ＲＯＭドライブ等を備えて、識別符号７１を読み取るようにしてもよい。
【００７７】
また、予約管理サイト１は、識別符号７１が有効であるとする判別を重複して行わない限り、１個である必要はなく、複数存在してもよい。具体的には、例えば、複数の予約管理サイト１が記憶する識別符号リスト７２が、同一の識別符号７１を含まないようにすればよい。
【００７８】
また、予約内容リスト７４に含まれる情報は、予約内容リスト７４に格納された後に、各々が含む情報の内容に基づいてさらに変更、消去等されてもよい。
例えば、各予約内容コード７３に、予約履行の期限の情報が含まれているときは、決済サイト４が現在の日付をタイマ等を用いて参照し、参照の結果得られた現在の日付が予約履行の期限を過ぎているときは、決済サイト４が、当該予約内容コード７３を含むレコードの情報を削除してもよい。
【００７９】
以上、この発明の実施の形態を説明したが、この発明の取引予約システムは、専用のシステムによらず、通常のコンピュータシステムを用いて実現可能である。例えば、パーソナルコンピュータに上述の動作を実行するためのプログラムを格納した媒体（フロッピーディスク、ＣＤ−ＲＯＭ等）から該プログラムをインストールすることにより、上述の処理を実行する取引予約システムを構成することができる。
【００８０】
また、コンピュータにプログラムを供給するための媒体は、通信媒体（通信回線、通信ネットワーク、通信システムのように、一時的且つ流動的にプログラムを保持する媒体）でも良い。例えば、通信ネットワークの掲示板（ＢＢＳ）に該プログラムを掲示し、これをネットワークを介して配信してもよい。
そして、このプログラムを起動し、ＯＳの制御下に、他のアプリケーションプログラムと同様に実行することにより、上述の処理を実行することができる。
【００８１】
【発明の効果】
以上説明したように、この発明によれば、代金等を支払うべき者を特定する情報を知った第三者等が商品等の給付を不正に受けることが防止され、また、代金等を支払うべき者の匿名性が保たれる取引予約システム、及び、そのような取引予約システムを実現するためのプログラムを記録した記録媒体が実現される。
【図面の簡単な説明】
【図１】この発明の実施の形態にかかる取引予約システムの基本構成を示すブロック図である。
【図２】この発明の実施の形態にかかる取引予約システムの論理的構成を示すブロック図である。
【図３】予約管理プログラムの前半の処理を示すフローチャートである。
【図４】予約受付プログラムの処理及び予約管理プログラムの後半の処理を示すフローチャートである。
【図５】予約申込プログラムの処理を示すフローチャートである。
【図６】（ａ）、（ｂ）は、予約内容照会プログラムの処理を示すフローチャートである。
【符号の説明】
１                予約管理サイト
１１              コンピュータ
１２              外部記憶装置
１３              ネットワークアクセス装置
２                予約受付サイト
２１              コンピュータ
２２              外部記憶装置
２３              ネットワークアクセス装置
３                予約申込サイト
３１              制御部
３２              外部記憶装置
３３              ネットワークアクセス装置
３４              表示装置
３５              入力装置
４                決済サイト
５                ネットワーク
６１ａ〜６１ｃ    ネットワーク接続プログラム
６２              予約管理プログラム
６３              予約受付プログラム
６４              予約申込プログラム
６５ａ、６５ｂ    予約内容照会プログラム
７１              識別符号
７２              識別符号リスト
７３              予約内容コード
７４              予約内容リスト
【図１】
0003672066.tif 000002
【図２】
0003672066.tif 000003
【図３】
0003672066.tif 000004
【図４】
0003672066.tif 000005
【図５】
0003672066.tif 000006
【図６】
0003672066.tif 000007